(57)【要約】【課題】プレス加工時に目地部のコーナー部に金属材のシワが発生することがなく、シワの発生による金属材の割れを防止することができるサイディング用出隅役物とその製造方法を提供する。【解決手段】外面１ａにおける柄部２の間に、縦方向に離間して略平行に複数の目地部３が配設された金属製のサイディング用出隅役物１であって、目地部３のコーナー部４の両側端部における２つの角部５ａ，５ｂのそれぞれに突条６ａ，６ｂが形成されていることを特徴とする。【選択図】図１
2009108519.tif 000002
【特許請求の範囲】
【請求項１】
外面における柄部の間に、縦方向に離間して略平行に複数の目地部が配設された金属製のサイディング用出隅役物であって、目地部のコーナー部の両側端部における２つの角部のそれぞれに突条が形成されていることを特徴とするサイディング用出隅役物。
【請求項２】
外面における柄部の間に、縦方向に離間して略平行に複数の目地部をプレス加工により形成する金属製のサイディング用出隅役物の製造方法であって、一対の上型と下型とを備えた目地部プレス型による目地部の成型時に、目地部のコーナー部の両側端部における２つの角部のそれぞれに突条を形成することを特徴とするサイディング用出隅役物の製造方法。
【発明の詳細な説明】
【技術分野】
【０００１】
本発明は、サイディング用出隅役物とその製造方法に関するものである。
【背景技術】
【０００２】
住宅等の構造物の下地材上に被着される金属サイディングは、加工性や意匠性に優れ、また断熱性や防火性にも優れているため、近年住宅等の構造物の外壁材として広く使用されている。
【０００３】
金属サイディングにおける出隅部等には、一般に役物が取付けられる（特許文献１参照）。このようなサイディング用出隅役物として各種のものが知られているが、金属サイディングの出隅部等に使用されるものとして、外面の柄部の間に目地部を配設したものがある。
【０００４】
図３は、従来のサイディング用出隅役物の目地部の横断面図、図４は、図３のサイディング用出隅役物の外観の一部を正面斜め下方から見た図である。このサイディング用出隅役物１００は、鋼材、アルミニウム合金材などの金属材から形成されたものであり、横断面略アングル状の縦長形状を有している。
【０００５】
サイディング用出隅役物１００は、中央部を縦方向に延びるコーナー部１０４を境として折り曲げられた外面１００ａを有しており、外面１００ａには、柄模様（図示せず）が形成された面である柄部１０２の間に、縦方向に離間して図４に示すように複数の目地部１０３が略平行に配設されている。
【０００６】
この目地部１０３は、外面１００ａにおいて柄部１０２から裏面側に凹んだ帯状部分から構成されており、目地部１０３のコーナー部１０４は、その両側端部に２つの角部１０５ａ，１０５ｂを有し、目地部１０３は角部１０５ａ，１０５ｂを基点として折り曲げられている。
【０００７】
目地部１０３は、目地部プレス型を用いて、外面１００ａ側を固定の下型として裏面側から上型にてプレス加工することにより形成することができる。
【特許文献１】特開２００５−２０７１５５号公報
【発明の開示】
【発明が解決しようとする課題】
【０００８】
しかしながら、プレス加工により目地部１０３を形成する際に、コーナー部１０４、特に角部１０５ａ，１０５ｂの周辺に、柄部１０２と目地部１０３との段差に起因して鋼材、アルミニウム合金材などの金属材が余ってしまい、そのため図４に示すようにコーナー部１０４に余った金属材によるシワ１１０が発生し、シワ１１０が発生した部分の金属材が割れてしまう場合があるという問題点があった。
【０００９】
本発明は、以上の通りの事情に鑑みてなされたものであり、プレス加工時に目地部のコーナー部に金属材のシワが発生することがなく、シワの発生による金属材の割れを防止することができるサイディング用出隅役物とその製造方法を提供することを課題としている。
【課題を解決するための手段】
【００１０】
本発明は、上記の課題を解決するために、以下のことを特徴としている。
【００１１】
第１に、本発明のサイディング用出隅役物は、外面における柄部の間に、縦方向に離間して略平行に複数の目地部がプレス加工により形成された金属製のサイディング用出隅役物であって、目地部のコーナー部の両側端部における２つの角部のそれぞれに突条が形成されていることを特徴とする。
【００１２】
第２に、本発明のサイディング用出隅役物の製造方法は、外面における柄部の間に、縦方向に離間して略平行に複数の目地部をプレス加工により形成する金属製のサイディング用出隅役物の製造方法であって、一対の上型と下型とを備えた目地部プレス型による目地部の成型時に、目地部のコーナー部の両側端部における２つの角部のそれぞれに突条を形成することを特徴とする。
【発明の効果】
【００１３】
上記第１の発明によれば、目地部のコーナー部における２つの角部のそれぞれに、縦方向に延びる突条を配設して目地部のコーナー部の両側端部に角を立たせるようにしたので、プレス加工による目地部の成型時に、柄部と目地部との段差に起因する金属材の余りが突条に吸収される。従って、目地部のコーナー部に金属材のシワが発生することがなく、シワの発生による金属材の割れを防止することができる。また、シワの発生が防止されるため製品としての意匠性も向上させることができる。
【００１４】
上記第２の発明によれば、目地部プレス型を用いた目地部の成型時に、目地部のコーナー部における２つの角部のそれぞれに、縦方向に延びる突条を形成して目地部のコーナー部の両側端部に角を立たせるようにしたので、柄部と目地部との段差に起因する金属材の余りが突条に吸収される。従って、プレス加工時に目地部のコーナー部に金属材のシワが発生することがなく、シワの発生による金属材の割れを防止することができる。
【発明を実施するための最良の形態】
【００１５】
以下、図面を参照しながら本発明の実施形態について説明する。
【００１６】
図１は、本発明の一実施形態におけるサイディング用出隅役物の目地部の横断面図、図２は、図１のサイディング出隅役物の外観の一部を正面斜め下方から見た図である。
【００１７】
本実施形態のサイディング用出隅役物１は、鋼材、アルミニウム合金材などの金属材から形成されたものであり、横断面略アングル状の縦長形状を有している。
【００１８】
サイディング用出隅役物１は、中央部を縦方向に延びるコーナー部４を境として折り曲げられた外面１ａを有しており、外面１ａには、柄模様（図示せず）が形成された面である柄部２の間に、意匠性付与や強度付与等を目的として、縦方向に離間して複数の目地部３が略平行に配設されている。
【００１９】
この目地部３は、外面１ａにおいて柄部２から裏面側に凹んだ帯状部分から構成されており、目地部プレス型を用いて、外面１ａ側を固定の下型として裏面側から上型にてプレス加工することにより形成することができる。
【００２０】
目地部３のコーナー部４は、その両側端部に２つの角部５ａ，５ｂを有しており、目地部３は、角部５ａ，５ｂを基点として折り曲げられている。本実施形態では、２つの角部５ａ，５ｂのそれぞれに、縦方向に延びる膨出部よりなる突条６ａ，６ｂが形成されている。このように突条６ａ，６ｂを角部５ａ，５ｂに形成して目地部３のコーナー部４の両側端部に角を立たせて鋼材割れ緩和部を設けることで、プレス加工による目地部３の成型時に鋼材、アルミニウム合金材などの金属材の余りが突条６ａ，６ｂに吸収される。従って、図４の従来技術のようにコーナー部４に金属材の余りによるシワ１１０が発生することがなく、シワ１１０による鋼材割れを防止することができる。
【００２１】
このような突条６ａ，６ｂは、従来から用いられている目地部プレス型の上型と下型に、突条６ａ，６ｂの形状に対応して適宜の変更を加えることで形成することができる。
【００２２】
このサイディング用出隅役物１を外壁材として施工する際には、たとえば、住宅等の構造物の下地材上に外壁パネルとしてサイディング板を被着すると共に、２枚のサイディング板の端部が直交して対向する出隅部に、中央部を縦方向に延びるコーナー部４を境とした２面の外面１ａで下地材を外側から覆うようにサイディング用出隅役物１を被着して取り付ける。
【００２３】
以上に、実施形態に基づき本発明を説明したが、本発明は上記の実施形態に何ら限定されるものではなく、その要旨を逸脱しない範囲内において各種の変更が可能である。
【図面の簡単な説明】
【００２４】
【図１】本発明の一実施形態におけるサイディング用出隅役物の目地部の横断面図である。
【図２】図１のサイディング用出隅役物の外観の一部を正面斜め下方から見た図である。
【図３】従来のサイディング用出隅役物の目地部の横断面図である。
【図４】図３のサイディング用出隅役物の外観の一部を正面斜め下方から見た図である。
【符号の説明】
【００２５】
１    サイディング用出隅役物
１ａ  外面
２    柄部
３    目地部
４    コーナー部
５ａ，５ｂ  角部
６ａ，６ｂ  突条
【図１】
2009108519.tif 000003
【図２】
2009108519.tif 000004
【図３】
2009108519.tif 000005
【図４】
2009108519.tif 000006